(57)【特許請求の範囲】
【請求項１】
バッテリと、前記バッテリに接続されたアーススイッチ及びリレーを備えた建設機械であって、
前記リレーを保持するための保持部材と、
前記保持部材に取り付けられ、前記保持部材により保持された前記リレーを上から覆う上壁を含むカバーとを備え、
前記アーススイッチは、前記カバーによって上から覆われた状態で、かつ、前記アーススイッチが操作可能な状態で前記カバーに取り付けられ、
前記カバーは、前記リレー及び前記アーススイッチを側方から覆う側壁を含み、
前記アーススイッチは、側方から見る視点において前記リレーと重なる位置に配置されるように前記側壁に取り付けられ、
前記建設機械は、前記カバーを保護するためのガードと、前記ガードに形成された吸気口を通じてガード内に外気を取り入れるために前記ガードの側方に設けられたファンとをさらに備え、
前記リレー及び前記アーススイッチは、前記ガードと前記ファンとの間に設けられ、
前記側壁は、前記ガードと前記リレー及び前記アーススイッチとの間に設けられているとともに前記吸気口から前記ファンに向けた外気の流れと直交する方向に対して傾斜する傾斜壁を含む、建設機械。
【請求項２】
前記アーススイッチは、配線を接続するための端子を有するスイッチ本体と、前記スイッチ本体から突出するとともに前記アーススイッチを切換操作するための操作部とを有し、
前記端子が前記上壁及び前記側壁により覆われ、かつ、前記操作部が側壁から側方に突出するように、前記アーススイッチは、前記側壁を貫通している、請求項１に記載の建設機械。
【請求項３】
前記保持部材は、前記カバーが前記保持部材から取り外し可能となるように、前記カバーを取り付けるためのカバー取付部を有する、請求項１又は２に記載の建設機械。
【請求項４】
前記アーススイッチは、平面視で前記アーススイッチが前記リレーよりも前記バッテリの近くに配置された状態で前記カバーに取り付けられている、請求項１〜３の何れか１項に記載の建設機械。
【請求項５】
バッテリと、前記バッテリに接続されたアーススイッチ及びリレーを備えた建設機械であって、
前記リレーを保持するための保持部材と、
前記保持部材に取り付けられ、前記保持部材により保持された前記リレーを上から覆う上壁を含むカバーとを備え、
前記アーススイッチは、前記カバーによって上から覆われた状態で、かつ、前記アーススイッチが操作可能な状態で前記カバーに取り付けられ、
前記保持部材は、前記カバーが前記保持部材から取り外し可能となるように、前記カバーを取り付けるためのカバー取付部と、前記リレー及び前記アーススイッチを側方から覆う被覆壁とを有し、
前記カバーは、前記リレー及び前記アーススイッチを側方から覆う側壁を含み、
前記カバーが前記カバー取付部に取り付けられた状態で、前記被覆壁及び前記側壁は、前記リレー及び前記アーススイッチの周囲を全周に亘り取り囲む、建設機械。
【発明の詳細な説明】
【技術分野】
【０００１】
本発明は、バッテリと、バッテリに接続されたアーススイッチ及びリレーとを備えた建設機械に関するものである。
【背景技術】
【０００２】
従来から、建設機械において電気的な作業（例えば、溶接作業）を行う際にバッテリへの通電を阻止すること、及び、建設機械が長期間にわたり使用されない場合にバッテリの放電を抑制することを目的として、バッテリにアーススイッチが接続されている場合がある。
【０００３】
アーススイッチは、バッテリとアース部位との間に設けられているとともに、バッテリがアース部位に接続された状態とバッテリがアース部位から遮断された状態との間で切換可能である。
【０００４】
また、建設機械における電装品がバッテリに接続された状態と電装品がバッテリから遮断された状態とを切り換えるためのリレーがバッテリに接続されている。
【０００５】
アーススイッチとリレー（バッテリリレー）とを備えた建設機械として、例えば、特許文献１に記載の建設機械が知られている。
【０００６】
この建設機械において、バッテリは、アッパーフレーム上に設けられている。また、リレーは、バッテリの前側でアッパーフレーム上に立設された保持部材（前板）によって保持されている。さらに、アーススイッチは、バッテリの後側でアッパーフレーム上に立設されたスイッチ取付部に対し、アーススイッチが操作可能な状態で取り付けられている。
【先行技術文献】
【特許文献】
【０００７】
【特許文献１】特開２０１３−１８９７８５号公報
【発明の概要】
【発明が解決しようとする課題】
【０００８】
ここで、アーススイッチ及びリレーが接続された回路の短絡等を防止するため、建設機械の内部に浸入する雨水等からアーススイッチ及びリレーを保護することが必要である。
【０００９】
特許文献１では、リレー（バッテリリレー）がボックス内に保持されている状態が示されているが、アーススイッチを保護するための構成が明らかではない。
【００１０】
そこで、アーススイッチを覆うカバーをさらに設けることが考えられる。
【００１１】
しかし、このようにリレーを覆うボックスと、アーススイッチを覆うカバーと、アーススイッチを取り付けるためのスイッチ取付部とを個別に設ける場合、これらを設けるためのコストは大きなものとなる。
【００１２】
本発明の目的は、コストを抑えながらアーススイッチ及びリレーの保護とアーススイッチの取り付けとを実現することができる建設機械を提供することにある。
【課題を解決するための手段】
【００１３】
上記課題を解決するために、本発明は、バッテリと、前記バッテリに接続されたアーススイッチ及びリレーを備えた建設機械であって、前記リレーを保持するための保持部材と、前記保持部材に取り付けられ、前記保持部材により保持された前記リレーを上から覆う上壁を含むカバーとを備え、前記アーススイッチは、前記カバーによって上から覆われた状態で、かつ、前記アーススイッチが操作可能な状態で前記カバーに取り付けられ、前記カバーは、前記リレー及び前記アーススイッチを側方から覆う側壁を含み、前記アーススイッチは、側方から見る視点において前記リレーと重なる位置に配置されるように前記側壁に取り付けられ、前記建設機械は、前記カバーを保護するためのガードと、前記ガードに形成された吸気口を通じてガード内に外気を取り入れるために前記ガードの側方に設けられたファンとをさらに備え、前記リレー及び前記アーススイッチは、前記ガードと前記ファンとの間に設けられ、前記側壁は、前記ガードと前記リレー及び前記アーススイッチとの間に設けられているとともに前記吸気口から前記ファンに向けた外気の流れと直交する方向に対して傾斜する傾斜壁を含む、建設機械を提供する。
【００１４】
本発明によれば、リレーを雨水等から保護するためのカバーが、アーススイッチを保護するための部材及びアーススイッチを取り付けるための部材として兼用され、さらに保持部材に取り付けられている。
【００１５】
そのため、リレーを保護するための部材と、アーススイッチを保護するための部材と、アーススイッチを取り付けるための部材とを別々に設ける場合と比較して、部品点数を低減することができる。
【００１６】
したがって、本発明によれば、コストを抑えながらアーススイッチ及びリレーの保護とアーススイッチの取り付けとを実現することができる。
【００１７】
建設機械の内部には冷却系統（後述するファン等）による気流が生じることによりリレー及びアーススイッチに対して側方から雨水等が接触する場合がある。
【００１８】
そこで、本発明において、前記カバーは、前記リレー及び前記アーススイッチを側方から覆う側壁を含み、前記アーススイッチは、側方から見る視点において前記リレーと重なる位置に配置されるように前記側壁に取り付けられている。
【００１９】
本発明によれば、カバーに側壁が設けられているため、リレー及びアーススイッチに対して側方から雨水等が接触するのを抑制することができる。
【００２０】
また、この側壁を利用して、アーススイッチが側方から見る視点においてリレーと重なる位置に配置されているため、アーススイッチとリレーとを上下に並べて配置する場合と比較して、保持部材及びカバーを上下方向にコンパクトに構成することができる。
ここで、本発明における建設機械は、カバーを保護するためのガードと、ガードに形成された吸気口を通じてガード内に外気を取り入れるためにガードの側方に設けられたファンとをさらに備え、前記リレー及び前記アーススイッチが前記ガードと前記ファンとの間に設けられ、側壁が前記ガードと前記リレー及び前記アーススイッチとの間に設けられているため、次の利点がある。リレー及びアーススイッチとガードとの間に側壁が設けられているため、ガードの吸気口を通じて吹き込む雨水等からリレー及びアーススイッチを保護することができる。
ここで、吸気口からファンに向けた外気の流れと直交する方向と平行して側壁を設けることもできる。しかし、この場合には、側壁によって外気の流通抵抗が大きくなり、外気を効果的に取り入れることができない。
そこで、本発明において、前記側壁は、前記吸気口から前記ファンに向けた外気の流れと直交する方向に対して傾斜する傾斜壁を含んでいる。
本発明によれば、傾斜壁によって外気の流通抵抗を緩和することができるため、上述のようにガードの吸気口を通じて吹き込む雨水等からリレー及びアーススイッチを保護しながら、外気を効果的に取り入れることができる。
【００２１】
前記建設機械において、前記アーススイッチは、配線を接続するための端子を有するスイッチ本体と、前記スイッチ本体から突出するとともに前記アーススイッチを切換操作するための操作部とを有し、前記端子が前記上壁及び前記側壁により覆われ、かつ、前記操作部が側壁から側方に突出するように、前記アーススイッチは、前記側壁を貫通していることが好ましい。
【００２２】
この態様によれば、アーススイッチが側壁を貫通することにより、端子を上方及び側方から保護しつつ操作部が操作可能な状態でアーススイッチを側壁に取り付けることができる。これにより、アーススイッチの保護と操作性との両立を図ることができる。
【００２３】
ここで、リレー及びアーススイッチには複数の配線が接続されるため、リレー及びアーススイッチが側壁によって覆われていると、リレー及びアーススイッチの周囲にこれらをメンテナンスするためのスペースを確保することが困難である。
【００２４】
そこで、前記保持部材は、前記カバーが前記保持部材から取り外し可能となるように、前記カバーを取り付けるためのカバー取付部を有することが好ましい。
【００２５】
この態様によれば、カバーをカバー取付部から取り外すことにより、アーススイッチとリレーとを分離することができるため、両者をメンテナンスするためのスペースを確保することができる。
【００２６】
前記建設機械において、前記アーススイッチは、平面視で前記アーススイッチが前記リレーよりも前記バッテリの近くに配置された状態で前記カバーに取り付けられていることが好ましい。
【００２７】
この態様によれば、アーススイッチをリレーよりもバッテリに近づけて配置することができるので、アーススイッチとバッテリとを接続する配線を短縮することができる。
【００２８】
また、本発明は、バッテリと、前記バッテリに接続されたアーススイッチ及びリレーを備えた建設機械であって、前記リレーを保持するための保持部材と、前記保持部材に取り付けられ、前記保持部材により保持された前記リレーを上から覆う上壁を含むカバーとを備え、前記アーススイッチは、前記カバーによって上から覆われた状態で、かつ、前記アーススイッチが操作可能な状態で前記カバーに取り付けられ、前記保持部材は、前記カバーが前記保持部材から取り外し可能となるように、前記カバーを取り付けるためのカバー取付部と、前記リレー及び前記アーススイッチを側方から覆う被覆壁とを有し、前記カバーは、前記リレー及び前記アーススイッチを側方から覆う側壁を含み、前記カバーが前記カバー取付部に取り付けられた状態で、前記被覆壁及び前記側壁は、前記リレー及び前記アーススイッチの周囲を全周に亘り取り囲む、建設機械を提供する。
本発明によれば、リレーを雨水等から保護するためのカバーが、アーススイッチを保護するための部材及びアーススイッチを取り付けるための部材として兼用され、さらに保持部材に取り付けられている。
そのため、リレーを保護するための部材と、アーススイッチを保護するための部材と、アーススイッチを取り付けるための部材とを別々に設ける場合と比較して、部品点数を低減することができる。
したがって、本発明によれば、コストを抑えながらアーススイッチ及びリレーの保護とアーススイッチの取り付けとを実現することができる。
【００２９】
また、本発明によれば、カバーの側壁及び保持部材の被覆壁によってリレー及びアーススイッチを側方から確実に保護することができる。
【００３０】
しかも、カバーを保持部材から取り外すことにより、リレー及びアーススイッチのメンテナンスを容易に行うことができる。
【００３１】
したがって、リレー及びアーススイッチの保護とメンテナンス性の向上との両立を図ることができる。
【発明の効果】
【００３２】
本発明によれば、コストを抑えながらアーススイッチ及びリレーの保護とアーススイッチの取り付けとを実現することができる。
【図面の簡単な説明】
【００３３】
【図１】本発明の実施形態に係る油圧ショベルの全体構成を示す左側面図である。
【図２】図１のアッパーフレーム及びこれに設けられた機器を示す平面図である。
【図３】図２に示す構成の一部を拡大し、一部を断面で示す平面図である。
【図４】図３のＩＶ−ＩＶ線断面図である。
【図５】カバーを取り外した状態を示す図４相当図である。
【図６】図４のＶＩ−ＶＩ線断面図である。
【図７】本発明の他の実施形態を示す図６相当図である。
【発明を実施するための形態】
【００３４】
以下添付図面を参照しながら、本発明の実施の形態について説明する。なお、以下の実施の形態は、本発明を具体化した例であって、本発明の技術的範囲を限定する性格のものではない。
【００３５】
図１は、本発明の実施形態に係る建設機械の一例としての油圧ショベル１を示す左側面図である。
【００３６】
油圧ショベル１は、クローラ２ａを有する自走式の下部走行体２と、旋回軸を中心として旋回可能となるように下部走行体２上に設けられた上部旋回体３と、上部旋回体３に対して変位可能に取り付けられた作業アタッチメント４とを備えている。以下、油圧ショベル１のオペレータから見た方向を用いて説明する。なお、旋回軸は、上下方向と平行する軸である。
【００３７】
作業アタッチメント４は、上部旋回体３に対して上げ下げ可能に取り付けられたブーム５と、ブーム５の先端部に対して回動可能に取り付けられたアーム６と、アーム６の先端部に対して回動可能に取り付けられたバケット７とを備えている。
【００３８】
また、作業アタッチメント４は、上部旋回体３に対してブーム５を上げ下げするブームシリンダ８と、ブーム５に対してアーム６を回転駆動するアームシリンダ９と、アーム６に対してバケット７を回転駆動するバケットシリンダ１０とを備えている。
【００３９】
図１及び図２を参照して、上部旋回体３は、下部走行体２上に旋回軸を中心として旋回可能に設けられたアッパーフレーム１１と、アッパーフレーム１１上に設けられたバッテリ１２Ａ、１２Ｂ、冷却器１３、エンジン１４、制御手段１５、カバー１６、及びガード１７とを備えている。
【００４０】
アッパーフレーム１１は、下部走行体２に取り付けられた底板１８と、底板１８上に立設された左右一対の縦板１９と、右側の縦板１９の右側で底板１８に固定された右サイドフレーム２０と、左側の縦板１９の左側で底板１８に固定された左サイドフレーム２１とを備えている。
【００４１】
一対の縦板１９は、左右方向に互いに対向するとともに前後方向に延びる。両縦板１９は、当該両縦板１９の前部同士の間で作業アタッチメント４（ブーム５）の基端部を支持する。
【００４２】
左サイドフレーム２１は、前後方向に延びる縦梁２９と、左右方向に延びて縦梁２９と底板１８とを連結する複数の横梁３０と、縦梁２９の後部と底板１８の後部とを連結する支持板３１と、支持板３１の後端部と縦梁２９と底板１８とを連結する後梁３２とを備えている。左サイドフレーム２１の要部の構成は、後述する。
【００４３】
バッテリ１２Ａ、１２Ｂは、支持板３１上で左右に並んで配置されている。冷却器１３は、支持板３１上において右側のバッテリ１２Ａの右側に配置されている。エンジン１４は、両縦板１９に亘って左右方向に延び、当該両縦板１９上に支持されている。制御手段１５及びカバー１６は、支持板３１上においてバッテリ１２Ａ、１２Ｂの後ろに配置されている。ガード１７は、バッテリ１２Ａ、１２Ｂ、冷却器１３、エンジン１４、制御手段１５、及びカバー１６を上方及び側方から覆うようにアッパーフレーム１１上に取り付けられている。また、ガード１７は、制御手段１５及びカバー１６の左側に設けられているとともにカバー１６を保護するための左側壁を有し、この左側壁には、冷却器１３に向けて外気を取り入れるための吸気口１７ａが設けられている。吸気口１７ａは、後述するカバー１６の後端から冷却器１３の前端までの範囲を含む前後範囲Ｅ１に亘って設けられている。
【００４４】
バッテリ１２Ａ、１２Ｂは、支持板３１によって下から支持されている。
【００４５】
冷却器１３は、図外のファンを有し、吸気口１７ａから取り込んだ外気を利用してエンジン１４の冷却水等を冷却する。
【００４６】
以下、図３〜図６を参照して、制御手段１５及びカバー１６の構成について説明する。
【００４７】
制御手段１５は、バッテリ１２Ａ、１２Ｂと電装品（例えば、エンジン１４のスタータモータ１４ａ及びグロープラグ１４ｂ：図２参照）との間の接続状態と切断状態とを制御するためのものである。
【００４８】
具体的に、制御手段１５は、バッテリ１２Ｂに対してバッテリケーブルＣ２を介して接続されたアーススイッチ２２と、バッテリ１２Ａに対してリレーケーブルＣ４を介して接続されたバッテリリレー２３と、バッテリリレー２３に対してハーネスＨを介して接続されたスタータリレー２４及びグローリレー２５と、ハーネスＨに接続されたヒューズ２６とを備えている。なお、図３〜図６では、図の簡略化のために、ハーネスＨの幹となる経路のみを示し、この経路から分岐する電線の図示を省略している。
【００４９】
アーススイッチ２２は、金属製の支持板３１上に設けられたアース部位３１ａ（図４参照）とバッテリ１２Ａ、１２Ｂとが接続された状態と、アース部位３１ａとバッテリ１２Ａ、１２Ｂとが遮断された状態との間で切換可能である。具体的に、アーススイッチ２２は、アースケーブルＣ１を介してアース部位３１ａに接続され、バッテリ１２Ａは、中継ケーブルＣ３を介してバッテリ１２Ｂに接続されている。
【００５０】
また、アーススイッチ２２は、図３に示すように、アースケーブルＣ１及びバッテリケーブルＣ２にそれぞれ接続される一対の端子（符号省略）を有するスイッチ本体２２ａと、スイッチ本体２２ａから突出するとともにアーススイッチ２２を切換操作するための操作部２２ｂとを備えている。
【００５１】
図３〜図６を参照して、バッテリリレー２３は、複数の電装品（例えば、エンジン１４のスタータモータ１４ａ及びグロープラグ１４ｂ：図２参照）とバッテリ１２Ａ、１２Ｂとが接続された状態と、複数の電装品とバッテリ１２Ａ、１２Ｂとが遮断された状態とを一括して切換可能なものである。具体的に、バッテリリレー２３は、バッテリ１２Ａ、１２Ｂから分岐して複数の電装品のそれぞれに接続される回路において、分岐部分よりもバッテリ１２Ａ、１２Ｂ側の部分に設けられている。なお、バッテリリレー２３は、ケーブルＣ５を介してエンジン１４のスタータモータ１４ａに接続されている（図２参照）。
【００５２】
スタータリレー２４は、スタータモータ１４ａとバッテリリレー２３とが接続された状
態と、スタータモータ１４ａとバッテリリレー２３とが遮断された状態との間で切換可能である。具体的に、スタータリレー２４は、ハーネスＨの図略の電線を介してバッテリリレー２３に接続されているとともに、ハーネスＨの電線Ｈ１（図２参照）を介してスタータモータ１４ａに接続されている。
【００５３】
グローリレー２５は、エンジン１４のグロープラグ１４ｂ（図２参照）とバッテリリレー２３とが接続された状態と、グロープラグ１４ｂとバッテリリレー２３とが遮断された状態との間で切換可能である。具体的に、グローリレー２５は、ハーネスＨの図略の電線を介してバッテリリレー２３に接続されているとともに、ハーネスＨの電線Ｈ２（図２参照）を介してグロープラグ１４ｂに接続されている。
【００５４】
上述した制御手段１５は、支持板３１上に設けられた左サイドフレーム２１の支持柱３３及び延長板３４（保持部材）によって保持され、支持柱３３及び延長板３４に取り付けられたカバー１６によって覆われている。まず、図３及び図４を参照して、支持柱３３、延長板３４及びカバー１６の構成について説明する。
【００５５】
支持柱３３は、当該支持柱３３の下端部が後梁３２の前面に対してボルトＢ３によって固定されていることにより、左サイドフレーム２１の支持板３１上に立設されている。また、支持柱３３は、後梁３２の前面に沿って配置されたウェブ（被覆壁）３３ａと、ウェブ３３ａの左右方向の両端部からそれぞれ前向きに延びる右フランジ（被覆壁）３３ｂ及び左フランジ３３ｃとを備えている。
【００５６】
延長板３４は、右フランジ３３ｂから前向きに延びる延長部（被覆壁）３４ａと、延長部３４ａの前端部から左向きに延びる屈曲部３４ｂとを備えている。
【００５７】
カバー１６は、支持柱３３及び延長板３４に対して取り外し可能に取り付けられたカバー本体２７と、カバー本体２７と支持柱３３との間に設けられたシール部材２８とを備えている。
【００５８】
カバー本体２７は、支持柱３３のウェブ３３ａと前後方向に対向する対向壁（側壁）２７ａと、対向壁２７ａの左端部から後ろ向きに傾斜する傾斜壁（側壁）２７ｂと、傾斜壁２７ｂの後端部から後ろに延びる外側壁（側壁）２７ｃと、対向壁２７ａ、傾斜壁２７ｂ及び外側壁２７ｃの上端部に設けられた上壁２７ｄと、上壁２７ｄの後端部から上に延びる取付部２７ｅとを備えている。
【００５９】
対向壁２７ａは、左右方向に平行する。傾斜壁２７ｂは、後ろに向かうに従い左側に傾斜する。つまり、傾斜壁２７ｂは、ガード１７とアーススイッチ２２及びリレー２３〜２５との間に設けられているとともにガード１７の吸気口１７ａ（図２参照）から冷却器１３に向けた外気の流れ（左から右に向かう流れ）と直交する方向（前後方向）に対して傾斜している。また、外側壁２７ｃは、前後方向に平行する。
【００６０】
カバー本体２７が支持柱３３及び延長板３４に取り付けられた状態で、対向壁２７ａ、傾斜壁２７ｂ、及び外側壁２７ｃの上端部は、延長板３４の延長部３４ａの上端部と同じ高さ位置に配置されている。上壁２７ｄは、対向壁２７ａ、傾斜壁２７ｂ、外側壁２７ｃ、及び延長部３４ａの上端部によって形成される開口部を上から塞ぐ。また、カバー本体２７が支持柱３３及び延長板３４に取り付けられた状態で、対向壁２７ａ、傾斜壁２７ｂ、及び外側壁２７ｃの下端部は、延長部３４ａの下端部とほぼ同じ高さ位置に配置されている。
【００６１】
また、対向壁２７ａに形成された図外の貫通穴に挿入されたボルトＢ１が延長板３４の屈曲部３４ｂに設けられたナット（カバー取付部）Ｎ１に螺合することにより、カバー本体２７が延長板３４に対し取り外し可能に取り付けられる。また、取付部２７ｅに形成された図外の貫通穴に挿入されたボルトＢ２が支持柱３３のウェブ３３ａに設けられたナット（カバー取付部：図６参照）Ｎ２に螺合することにより、カバー本体２７が支持柱３３に取り外し可能に取り付けられる。
【００６２】
このようにカバー１６が支持柱３３及び延長板３４に対して前側から取り付けられる際に、シール部材２８は、外側壁２７ｃの後端面と支持柱３３のウェブ３３ａの前面との間で挟持される。これにより、外側壁２７ｃとウェブ３３ａとの間を通じた雨水等の浸入が抑制される。
【００６３】
また、カバー１６が支持柱３３及び延長板３４に取り付けられることにより、カバー１６、支持柱３３、及び延長板３４の間には、収納室Ｓ１が形成される。収納室Ｓ１は、支持柱３３、延長板３４、及びカバー１６によって、上下方向に平行する軸を中心とする周方向の全周に亘り取り囲まれるとともに上方から覆われた室である。この収納室Ｓ１内に制御手段１５が設けられている。以下、図３、図５及び図６を参照して、収納室Ｓ１内における制御手段１５の取付状態を説明する。
【００６４】
アーススイッチ２２は、スイッチ本体２２ａが収納室Ｓ１内に配置され、かつ、操作部２２ｂがカバー１６の対向壁２７ａから前方に突出するように、対向壁２７ａを貫通している。この状態で、アーススイッチ２２は、対向壁２７ａに対しボルトＢ６によって取り付けられている。
【００６５】
バッテリリレー２３は、収納室Ｓ１内に配置された状態で、支持柱３３のウェブ３３ａの前面に対してボルトＢ４によって取り付けられている。この状態で、バッテリリレー２３は、アーススイッチ２２よりも後ろ（バッテリ１２Ａ、１２Ｂから遠い位置）に配置される。
【００６６】
また、アーススイッチ２２は、側方から見る視点においてバッテリリレー２３と重なる位置に配置されるように、対向壁２７ａに取り付けられている。具体的に、バッテリリレー２３の下端部は、アーススイッチ２２の下端部よりも上に配置され、バッテリリレー２３の上端部は、アーススイッチ２２の上端部よりも上に配置されている。
【００６７】
スタータリレー２４及びグローリレー２５は、ブラケット２４ａに固定されている。ブラケット２４ａは、支持柱３３のウェブ３３ａの前面に対してボルトＢ５によって取り付けられている。この状態で、スタータリレー２４は、グローリレー２５よりも下に配置され、かつ、スタータリレー２４及びグローリレー２５は、アーススイッチ２２及びバッテリリレー２３よりも上に配置されている。
【００６８】
ヒューズ２６は、延長板３４の延長部３４ａに取り付けられている。
【００６９】
なお、ハーネスＨの幹となる経路は、結束バンド等によって延長部３４ａに沿って配索されている。
【００７０】
このように、カバー１６、支持柱３３、及び延長板３４は、制御手段１５の周囲を全周に亘り取り囲む。
【００７１】
また、図４に示すように、カバー１６及び延長板３４の下端部と支持板３１の上面との間には、間隙が形成されている。この間隙を通じて、収納室Ｓ１からその外側にケーブルＣ１、Ｃ２、Ｃ４、Ｃ５及びハーネスＨが導出されている。
【００７２】
以上説明したように、リレー２３〜２５を雨水等から保護するためのカバー１６が、アーススイッチ２２を保護するための部材及びアーススイッチ２２を取り付けるための部材として兼用され、さらに保持部材（支持柱３３及び延長板３４）に取り付けられている。
【００７３】
そのため、リレー２３〜２５を保護するための部材と、アーススイッチ２２を保護するための部材と、アーススイッチ２２を取り付けるための部材とを別々に設ける場合と比較して、部品点数を低減することができる。
【００７４】
したがって、コストを抑えながらアーススイッチ２２及びリレー２３〜２５の保護とアーススイッチ２２の取り付けとを実現することができる。
【００７５】
また、前記実施形態によれば以下の効果を奏することができる。
【００７６】
前記実施形態によれば、カバー１６に側壁（対向壁２７ａ、傾斜壁２７ｂ、外側壁２７ｃ）が設けられているため、リレー２３〜２５及びアーススイッチ２２に対して側方から雨水等が接触するのを抑制することができる。
【００７７】
また、この側壁を利用して、アーススイッチ２２が側方から見る視点においてリレー２３〜２５と重なる位置に配置されているため、アーススイッチ２２とリレー２３〜２５とを上下に並べて配置する場合と比較して、保持部材（支持柱３３及び延長板３４）及びカバー１６を上下方向にコンパクトに構成することができる。
【００７８】
前記実施形態によれば、アーススイッチ２２が対向壁２７ａを貫通することによりスイッチ本体２２ａの端子を上方及び側方から保護しつつ操作部２２ｂが操作可能な状態でアーススイッチ２２を対向壁２７ａに取り付けることができる。これにより、アーススイッチ２２の保護と操作性との両立を図ることができる。
【００７９】
前記実施形態によれば、アーススイッチ２２及びリレー２３〜２５がガード１７の左側壁と冷却器１３との間に設けられているとともに、傾斜壁２７ｂ及び外側壁２７ｃが冷却器１３とガード１７の左側壁との間に設けられている。そのため、ガード１７の吸気口１７ａを通じて吹き込む雨水等からリレー２３〜２５及びアーススイッチ２２を保護することができる。
【００８０】
また、傾斜壁２７ｂによって外気の流通抵抗を緩和することができるため、上述のようにガード１７の吸気口１７ａを通じて吹き込む雨水等からリレー２３〜２５及びアーススイッチ２２を保護しながら、外気を効果的に取り入れることができる。
【００８１】
前記実施形態によれば、カバー１６、支持柱３３、及び延長板３４によってリレー２３〜２５及びアーススイッチ２２の周囲を全周に亘り覆うことができる。
【００８２】
しかも、カバー１６をカバー取付部（ナットＮ１、Ｎ２）から取り外すことにより、アーススイッチ２２とリレー２３〜２５とを分離することができる。そのため、複数の電線（ケーブルＣ１、Ｃ２、Ｃ４、Ｃ５及びハーネスＨ）が接続されるとともにカバー１６によって側方から覆われるリレー２３〜２５及びアーススイッチ２２の間に両者をメンテナンスするためのスペースを確保することができる。
【００８３】
したがって、リレー２３〜２５及びアーススイッチ２２の保護とメンテナンス性の向上との両立を図ることができる。
【００８４】
前記実施形態によれば、アーススイッチ２２をリレー２３〜２５よりもバッテリ１２Ａ、１２Ｂに近づけて配置することができるので、アーススイッチ２２とバッテリ１２Ａ、１２Ｂとを接続する配線を短縮することができる。
【００８５】
なお、前記実施形態では支持柱３３に直接リレー２３〜２５が保持されているが、支持柱３３にカバーに相当するボックスが保持されているとともにボックス内にリレー２３〜２５を収納することもできる。
【００８６】
また、前記実施形態では３つのリレー２３〜２５がカバー１６によって覆われているが、少なくとも１つリレーがカバー１６によって覆われていればよい。
【００８７】
さらに、前記実施形態ではカバー１６が側壁（対向壁２７ａ、傾斜壁２７ｂ、外側壁２７ｃ）を有しているが、カバーは、少なくともリレー及びアーススイッチを上から覆う上壁を有していればよい。具体的に、図７は、側壁を有しないカバーが設けられた他の実施形態を示す。
【００８８】
この実施形態に係る油圧ショベルは、左サイドフレーム２１上に立設された保持部材３６と、保持部材３６に対してボルトＢ７によって取り付けられているとともにバッテリリレー２３を上から覆うカバー３６とを備えている。
【００８９】
カバー３６の下面には、取付部３６ａを介してアーススイッチ２２が取り付けられている。取付部３６ａは、アーススイッチ２２の操作部２２ｂが側方（図７では前方）に向いた状態で、かつ、アーススイッチ２２がカバー３６によって上から覆われた状態で、カバー３６の下面にアーススイッチ２２の本体部２２ａを取り付けるためのものである。
【００９０】
このように、アーススイッチ２２の操作部２２ｂがカバー３６の側方に開放されているため、アーススイッチ２２をカバー３６の側方から操作することができる。また、アーススイッチ２２及びバッテリリレー２３がカバー３６によって上から覆われているため、雨水等からアーススイッチ２２及びバッテリリレー２３を保護することができる。
【００９１】
また、図７に示す実施形態では、アーススイッチ２２の全体がカバー３６により上から覆われているため、アーススイッチ２２の全体を雨水等から保護することができる。
【符号の説明】
【００９２】
Ｎ１、Ｎ２    ナット（カバー取付部の一例）
１    油圧ショベル（建設機械の一例）
１２Ａ、１２Ｂ    バッテリ
１３    冷却器（ファンを含む構成の一例）
１７    ガード
１７ａ    吸気口
２２    アーススイッチ
２２ａ    スイッチ本体
２２ｂ    操作部
２３    バッテリリレー（リレーの一例）
２４    スタータリレー（リレーの一例）
２５    グローリレー（リレーの一例）
３３    支持柱（保持部材の一例）
３３ａ    ウェブ（被覆壁の一例）
３３ｂ    右フランジ（被覆壁の一例）
３４    延長板（保持部材及び被覆壁の一例）
１６    カバー
２７ａ    対向壁（側壁の一例）
２７ｂ    傾斜壁（側壁の一例）
２７ｃ    外側壁（側壁の一例）
２７ｄ    上壁
【図１】
0005983642.tif 000002
【図２】
0005983642.tif 000003
【図３】
0005983642.tif 000004
【図４】
0005983642.tif 000005
【図５】
0005983642.tif 000006
【図６】
0005983642.tif 000007
【図７】
0005983642.tif 000008